(57)【要約】【課題】  設計対象の寸法の名称その他の属性を容易に設定することができる作図支援装置を提供する。【解決手段】  作図支援装置１００は、軸受の図形および寸法の値を特定するための図形諸元データを記憶する図形諸元データ記憶部１０と、図形諸元データ記憶部１０の図形諸元データに基づいて、軸受の図形を表示するとともにその図形に関連付けて軸受の寸法の値を表示する図形表示部１２と、軸受の寸法の名称（パラメータ名）を入力する寸法名入力部１４と、寸法名入力部１４で入力した寸法の名称を寸法の値に関連付けて表示する寸法名表示部１６とを有して構成されている。【選択図】図５
2009175936.tif 000002
【特許請求の範囲】
【請求項１】
設計対象の図形および寸法の値を特定するための図形諸元データを記憶する記憶手段と、前記記憶手段の図形諸元データに基づいて、前記設計対象の図形を出力するとともに当該図形に関連付けて前記設計対象の寸法の値を出力する図形出力手段とを備える作図支援装置であって、
前記設計対象の寸法の属性を入力する寸法属性入力手段と、前記寸法属性入力手段で入力した寸法の属性を前記寸法の値に関連付けて出力する寸法属性出力手段とを備えることを特徴とする作図支援装置。
【請求項２】
請求項１において、
さらに、前記設計対象の寸法に関する説明情報を入力する説明情報入力手段と、前記説明情報入力手段で入力した説明情報を前記寸法の属性に関連付けて出力する説明情報出力手段とを備えることを特徴とする作図支援装置。
【請求項３】
請求項２において、
さらに、前記寸法属性入力手段で入力したすべての寸法の属性を取得する属性取得手段と、前記属性取得手段で取得した寸法の各属性の一覧を表示する属性一覧表示手段とを備え、
前記説明情報入力手段は、前記属性一覧表示手段で表示した各属性ごとに、当該属性に係る寸法に関する前記説明情報を入力することを特徴とする作図支援装置。
【請求項４】
請求項１および２のいずれか１項において、
さらに、前記設計対象の寸法の変更後の属性を入力する変更属性入力手段と、前記寸法の属性を、前記変更属性入力手段で入力した変更後の属性に変更する寸法属性変更手段とを備えることを特徴とする作図支援装置。
【請求項５】
請求項４において、
さらに、前記寸法属性入力手段で入力したすべての寸法の属性を取得する属性取得手段と、前記属性取得手段で取得した寸法の各属性の一覧を表示する属性一覧表示手段とを備え、
前記変更属性入力手段は、前記属性一覧表示手段で表示した各属性ごとに、当該属性に係る寸法の変更後の属性を入力することを特徴とする作図支援装置。
【請求項６】
請求項１、２および４のいずれか１項において、
さらに、前記設計対象の寸法の変更後の値を入力する変更値入力手段と、前記寸法の値を、前記変更値入力手段で入力した変更後の値に変更する寸法値変更手段と、前記変更値入力手段で入力した変更後の値に基づいて前記図形を変更する図形変更手段とを備えることを特徴とする作図支援装置。
【請求項７】
請求項６において、
さらに、前記寸法属性入力手段で入力したすべての寸法の属性を取得する属性取得手段と、前記属性取得手段で取得した寸法の各属性の一覧を表示する属性一覧表示手段とを備え、
前記変更値入力手段は、前記属性一覧表示手段で表示した各属性ごとに、当該属性に係る寸法の変更後の値を入力することを特徴とする作図支援装置。
【請求項８】
設計対象の図形および寸法の値を特定するための図形諸元データを記憶する記憶手段の図形諸元データに基づいて、前記設計対象の図形を出力手段に出力するとともに当該図形に関連付けて前記設計対象の寸法の値を前記出力手段に出力する図形出力ステップからなる処理をコンピュータに実行させるための作図支援プログラムであって、
前記設計対象の寸法の属性を入力手段から入力する寸法属性入力ステップと、前記寸法属性入力ステップで入力した寸法の属性を前記寸法の値に関連付けて前記出力手段に出力する寸法属性出力ステップとからなる処理をコンピュータに実行させるためのプログラムを含むことを特徴とする作図支援プログラム。
【請求項９】
設計対象の図形および寸法の値を特定するための図形諸元データを記憶する記憶手段の図形諸元データに基づいて、前記設計対象の図形を出力手段に出力するとともに当該図形に関連付けて前記設計対象の寸法の値を前記出力手段に出力する図形出力ステップを含む作図支援方法であって、
前記設計対象の寸法の属性を入力手段から入力する寸法属性入力ステップと、前記寸法属性入力ステップで入力した寸法の属性を前記寸法の値に関連付けて前記出力手段に出力する寸法属性出力ステップとを含むことを特徴とする作図支援方法。
【発明の詳細な説明】
【技術分野】
【０００１】
本発明は、設計対象の図形の作成を支援する装置およびプログラム、並びに方法に係り、特に、設計対象の寸法の名称その他の属性を容易に設定することができる作図支援装置および作図支援プログラム、並びに作図支援方法に関する。
【背景技術】
【０００２】
製品の設計作業の高効率化を図るため、従来からＣＡＤ（Computer-Aided Design）システムが開発され、ＣＡＤシステムにより製品の設計図面の作成作業にかかる時間が大幅に短縮されている。ＣＡＤシステムでは、設計対象である製品の図形および寸法の値を特定するための図形諸元データに基づいて、製品の図形を表示するとともにその図形に関連付けて製品の寸法の値を表示し、ユーザが必要に応じて製品の図形や寸法の値を変更する等して製品の設計図面を編集可能となっている。
【０００３】
従来、製品の図形および寸法の値を表示する技術としては、例えば、特許文献１、２記載の技術が知られている。
特許文献１記載の技術は、板金モデルの形状を認識し曲げ線を特定する板金形状認識部と、曲げ線の方向を利用し曲げ形状寸法を生成する位置を特定し、曲げ形状寸法を生成する曲げ形状寸法挿入処理部とを備える。
【０００４】
特許文献２記載の技術は、表示スクリーン上にモデルを表示するモデル表示装置と、ユーザの事象に応じて選択できるモデルの候補エンティティーをユーザに示唆する示唆装置と、指示された候補エンティティーに基づいてモデルの２つのエンティティーを選択する選択装置と、モデルの選択されたエンティティーに付随する各寸法を定義する寸法定義システムと、定義された寸法に基づいて表示スクリーン上に寸法情報を表示する寸法表示装置とを備える。
【特許文献１】特開２００７−７９９５２号公報
【特許文献２】特開平１１−３１６７７５号公報
【発明の開示】
【発明が解決しようとする課題】
【０００５】
ところで、製品の設計図面では、一般に、製品の各寸法にその寸法の名称を付し、製品のどの部分の寸法を表しているのか分かるようにしている。例えば、軸受の設計図面を作成する場合、軸受内径に「ｄ」、軸受外径に「Ｄ」、軸受幅に「Ｂ」、組立幅（または高さ）に「Ｔ」、面取寸法に「ｒ」といった名称が付される。
しかしながら、特許文献１、２記載の技術にあってはいずれも、製品の図形に関連付けて寸法の値を表示するだけであるため、寸法の名称は、ＣＡＤシステム上で一つ一つ手入力するか、完成した設計図面に手書きで書き込む必要があった。この場合、寸法の名称は、寸法の値との関連性を持たせるため寸法の値の近くに表示しなければならず、表示位置にも配慮が必要となる。したがって、その作業は容易ではなく、手間と時間を要するという問題があった。
【０００６】
そこで、本発明は、このような従来の技術の有する未解決の課題に着目してなされたものであって、設計対象の寸法の名称その他の属性を容易に設定することができる作図支援装置および作図支援プログラム、並びに作図支援方法を提供することを目的としている。
【課題を解決するための手段】
【０００７】
〔発明１〕  上記目的を達成するために、発明１の作図支援装置は、設計対象の図形および寸法の値を特定するための図形諸元データを記憶する記憶手段と、前記記憶手段の図形諸元データに基づいて、前記設計対象の図形を出力するとともに当該図形に関連付けて前記設計対象の寸法の値を出力する図形出力手段とを備える作図支援装置であって、前記設計対象の寸法の属性を入力する寸法属性入力手段と、前記寸法属性入力手段で入力した寸法の属性を前記寸法の値に関連付けて出力する寸法属性出力手段とを備える。
【０００８】
このような構成であれば、図形出力手段により、記憶手段の図形諸元データに基づいて、設計対象の図形が出力されるとともにその図形に関連付けて設計対象の寸法の値が出力される。
そして、寸法属性入力手段により設計対象の寸法の属性を入力すると、寸法属性出力手段により、入力された寸法の属性が寸法の値に関連付けて出力される。したがって、寸法の属性を入力するだけで、寸法の属性を寸法の値に関連付けて設定することができる。
【０００９】
ここで、設計対象は、図形および寸法が特定可能な対象であればどのようなものであってもよく、例えば、軸受等の機械要素、ねじ等の部品、回路、電子機器、機械、器具、装置、建造物その他の有体物、またはキャラクタその他の無体物が含まれる。以下、発明８の作図支援プログラム、および発明９の作図支援方法において同じである。
また、寸法の属性には、例えば、寸法の名称その他の識別子が含まれる。以下、発明８の作図支援プログラム、および発明９の作図支援方法において同じである。
【００１０】
また、出力には、例えば、表示、送信および印刷が含まれる。以下、発明８の作図支援プログラム、および発明９の作図支援方法において同じである。
また、寸法の属性を寸法の値に関連付けて出力することには、例えば、寸法の値の出力位置から所定の位置（例えば、真上、真下）に寸法の属性を出力すること、寸法の値の出力態様（例えば、文字の種類、大きさ、色）と同一の出力態様で寸法の属性を出力すること、および寸法の値と寸法の属性を線、図形その他のオブジェクトで結ぶことが含まれる。以下、発明８の作図支援プログラム、および発明９の作図支援方法において同じである。
【００１１】
また、記憶手段は、図形諸元データをあらゆる手段でかつあらゆる時期に記憶するものであり、図形諸元データをあらかじめ記憶してあるものであってもよいし、図形諸元データをあらかじめ記憶することなく、本装置の動作時に外部からの入力等によって図形諸元データを記憶するようになっていてもよい。
また、寸法属性入力手段は、寸法の属性を直接入力するようになっていてもよいし、通信を介して寸法の属性を入力するようになっていてもよい。前者の場合は、例えば、キーボード、マウス、その他の入力デバイスとして構成することができ、後者の場合は、通信を介した入力処理として構成することができる。
【００１２】
〔発明２〕  さらに、発明２の作図支援装置は、発明１の作図支援装置において、さらに、前記設計対象の寸法に関する説明情報を入力する説明情報入力手段と、前記説明情報入力手段で入力した説明情報を前記寸法の属性に関連付けて出力する説明情報出力手段とを備える。
このような構成であれば、説明情報入力手段により設計対象の寸法に関する説明情報を入力すると、説明情報出力手段により、入力された説明情報が寸法の属性に関連付けて出力される。したがって、説明情報を入力するだけで、説明情報を寸法の属性に関連付けて設定することができる。
【００１３】
ここで、説明情報を寸法の属性に関連付けて出力することには、例えば、寸法の属性の出力位置から所定の位置（例えば、真上、真下）に説明情報を出力すること、寸法の属性の出力態様（例えば、文字の種類、大きさ、色）と同一の出力態様で説明情報を出力すること、および寸法の属性と説明情報を線、図形その他のオブジェクトで結ぶことが含まれる。
【００１４】
また、説明情報入力手段は、説明情報を直接入力するようになっていてもよいし、通信を介して説明情報を入力するようになっていてもよい。前者の場合は、例えば、キーボード、マウス、その他の入力デバイスとして構成することができ、後者の場合は、通信を介した入力処理として構成することができる。
【００１５】
〔発明３〕  さらに、発明３の作図支援装置は、発明２の作図支援装置において、さらに、前記寸法属性入力手段で入力したすべての寸法の属性を取得する属性取得手段と、前記属性取得手段で取得した寸法の各属性の一覧を表示する属性一覧表示手段とを備え、前記説明情報入力手段は、前記属性一覧表示手段で表示した各属性ごとに、当該属性に係る寸法に関する前記説明情報を入力する。
【００１６】
このような構成であれば、属性取得手段により、入力されたすべての寸法の属性が取得され、属性一覧表示手段により、取得された寸法の各属性の一覧が表示される。
そして、説明情報入力手段により、一覧として表示された各属性ごとに、その属性に係る寸法に関する説明情報を入力することができる。
【００１７】
〔発明４〕  さらに、発明４の作図支援装置は、発明１および２のいずれか１の作図支援装置において、さらに、前記設計対象の寸法の変更後の属性を入力する変更属性入力手段と、前記寸法の属性を、前記変更属性入力手段で入力した変更後の属性に変更する寸法属性変更手段とを備える。
【００１８】
このような構成であれば、変更属性入力手段により設計対象の寸法の変更後の属性を入力すると、寸法属性変更手段により、寸法の属性が、入力された変更後の属性に変更される。
ここで、変更属性入力手段は、変更後の属性を直接入力するようになっていてもよいし、通信を介して変更後の属性を入力するようになっていてもよい。前者の場合は、例えば、キーボード、マウス、その他の入力デバイスとして構成することができ、後者の場合は、通信を介した入力処理として構成することができる。
【００１９】
〔発明５〕  さらに、発明５の作図支援装置は、発明４の作図支援装置において、さらに、前記寸法属性入力手段で入力したすべての寸法の属性を取得する属性取得手段と、前記属性取得手段で取得した寸法の各属性の一覧を表示する属性一覧表示手段とを備え、前記変更属性入力手段は、前記属性一覧表示手段で表示した各属性ごとに、当該属性に係る寸法の変更後の属性を入力する。
【００２０】
このような構成であれば、属性取得手段により、入力されたすべての寸法の属性が取得され、属性一覧表示手段により、取得された寸法の各属性の一覧が表示される。
そして、変更属性入力手段により、一覧として表示された各属性ごとに、その属性に係る寸法の変更後の属性を入力することができる。
【００２１】
〔発明６〕  さらに、発明６の作図支援装置は、発明１、２および４のいずれか１の作図支援装置において、さらに、前記設計対象の寸法の変更後の値を入力する変更値入力手段と、前記寸法の値を、前記変更値入力手段で入力した変更後の値に変更する寸法値変更手段と、前記変更値入力手段で入力した変更後の値に基づいて前記図形を変更する図形変更手段とを備える。
【００２２】
このような構成であれば、変更値入力手段により設計対象の寸法の変更後の値を入力すると、寸法値変更手段により、寸法の値が、入力された変更後の値に変更される。また、図形変更手段により、入力された変更後の値に基づいて図形が変更される。
ここで、変更値入力手段は、変更後の値を直接入力するようになっていてもよいし、通信を介して変更後の値を入力するようになっていてもよい。前者の場合は、例えば、キーボード、マウス、その他の入力デバイスとして構成することができ、後者の場合は、通信を介した入力処理として構成することができる。
【００２３】
〔発明７〕  さらに、発明７の作図支援装置は、発明６の作図支援装置において、さらに、前記寸法属性入力手段で入力したすべての寸法の属性を取得する属性取得手段と、前記属性取得手段で取得した寸法の各属性の一覧を表示する属性一覧表示手段とを備え、前記変更値入力手段は、前記属性一覧表示手段で表示した各属性ごとに、当該属性に係る寸法の変更後の値を入力する。
【００２４】
このような構成であれば、属性取得手段により、入力されたすべての寸法の属性が取得され、属性一覧表示手段により、取得された寸法の各属性の一覧が表示される。
そして、変更値入力手段により、一覧として表示された各属性ごとに、その属性に係る寸法の変更後の値を入力することができる。
【００２５】
〔発明８〕  一方、上記目的を達成するために、発明８の作図支援プログラムは、設計対象の図形および寸法の値を特定するための図形諸元データを記憶する記憶手段の図形諸元データに基づいて、前記設計対象の図形を出力手段に出力するとともに当該図形に関連付けて前記設計対象の寸法の値を前記出力手段に出力する図形出力ステップからなる処理をコンピュータに実行させるための作図支援プログラムであって、前記設計対象の寸法の属性を入力手段から入力する寸法属性入力ステップと、前記寸法属性入力ステップで入力した寸法の属性を前記寸法の値に関連付けて前記出力手段に出力する寸法属性出力ステップとからなる処理をコンピュータに実行させるためのプログラムを含む。
【００２６】
このような構成であれば、コンピュータによってプログラムが読み取られ、読み取られたプログラムに従ってコンピュータが処理を実行すると、発明１の作図支援装置と同等の作用が得られる。
【００２７】
〔発明９〕  一方、上記目的を達成するために、発明９の作図支援方法は、設計対象の図形および寸法の値を特定するための図形諸元データを記憶する記憶手段の図形諸元データに基づいて、前記設計対象の図形を出力手段に出力するとともに当該図形に関連付けて前記設計対象の寸法の値を前記出力手段に出力する図形出力ステップを含む作図支援方法であって、前記設計対象の寸法の属性を入力手段から入力する寸法属性入力ステップと、前記寸法属性入力ステップで入力した寸法の属性を前記寸法の値に関連付けて前記出力手段に出力する寸法属性出力ステップとを含む。
【発明の効果】
【００２８】
以上説明したように、発明１の作図支援装置によれば、設計対象の寸法の属性を入力するだけで、寸法の属性が寸法の値に関連付けて出力されるので、従来に比して、寸法の属性を容易に設定することができるという効果が得られる。
さらに、発明２の作図支援装置によれば、設計対象の寸法に関する説明情報を入力するだけで、説明情報が寸法の属性に関連付けて出力されるので、説明情報を容易に設定することができるという効果が得られる。
【００２９】
さらに、発明３の作図支援装置によれば、一覧として表示された各属性ごとに、その属性に係る寸法に関する説明情報を入力することができるので、寸法の各値に対して寸法の属性さえ設定すれば、説明情報をまとめて設定することができるという効果が得られる。また、寸法の属性と対応付けて説明情報を入力することができるので、寸法の数が多くても、説明情報をミス少なく設定することができるという効果も得られる。
【００３０】
さらに、発明４の作図支援装置によれば、設計対象の寸法の変更後の属性を入力するだけで、変更後の属性が寸法の値に関連付けて出力されるので、寸法の属性を容易に変更することができるという効果が得られる。
さらに、発明５の作図支援装置によれば、一覧として表示された各属性ごとに、その属性に係る寸法の変更後の属性を入力することができるので、寸法の属性をまとめて変更することができるという効果が得られる。また、寸法の属性と対応付けて変更後の属性を入力することができるので、寸法の数が多くても、寸法の属性をミス少なく変更することができるという効果も得られる。
【００３１】
さらに、発明６の作図支援装置によれば、設計対象の寸法の変更後の値を入力するだけで、変更後の値が図形に関連付けて出力されるとともに設計対象の図形もそれに合わせて変更されるので、寸法の値および図形を容易に変更することができるという効果が得られる。
さらに、発明７の作図支援装置によれば、一覧として表示された各属性ごとに、その属性に係る寸法の変更後の値を入力することができるので、寸法の各値に対して寸法の属性さえ設定すれば、寸法の値をまとめて変更することができるという効果が得られる。また、寸法の属性と対応付けて寸法の値を入力することができるので、寸法の数が多くても、寸法の値をミス少なく変更することができるという効果も得られる。
【００３２】
一方、発明８の作図支援プログラムによれば、発明１の作図支援装置と同等の効果が得られる。
一方、発明９の作図支援方法によれば、発明１の作図支援装置と同等の効果が得られる。
【発明を実施するための最良の形態】
【００３３】
〔第１の実施の形態〕
以下、本発明の第１の実施の形態を図面を参照しながら説明する。図１ないし図８は、本発明に係る作図支援装置および作図支援プログラム、並びに作図支援方法の第１の実施の形態を示す図である。
本実施の形態は、本発明に係る作図支援装置および作図支援プログラム、並びに作図支援方法を、軸受の設計図面を作成する場合ついて適用したものである。
【００３４】
まず、本実施の形態に係る作図支援装置１００の機能概要を説明する。
図１は、作図支援装置１００の機能概要を示す機能ブロック図である。
作図支援装置１００は、図１に示すように、軸受の図形および寸法の値を特定するための図形諸元データを記憶する図形諸元データ記憶部１０と、図形諸元データ記憶部１０の図形諸元データに基づいて、軸受の図形を表示するとともにその図形に関連付けて軸受の寸法の値を表示する図形表示部１２と、軸受の寸法の名称（パラメータ名）を入力する寸法名入力部１４と、寸法名入力部１４で入力した寸法の名称を寸法の値に関連付けて表示する寸法名表示部１６とを有して構成されている。
【００３５】
次に、作図支援装置１００の構成を詳細に説明する。
図２は、作図支援装置１００のハードウェア構成を示す図である。
作図支援装置１００は、図２に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【００３６】
Ｉ／Ｆ５８には、外部装置として、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４とが接続されている。
【００３７】
次に、図形諸元データのデータ構造を説明する。
記憶装置６２は、図形諸元データ記憶部１０として構成され、各軸受ごとにその図形諸元データをＣＡＤファイルとして記憶している。
図３は、図形諸元データのデータ構造を示す図である。
図形諸元データは、図３に示すように、ＣＡＤ空間における点を接続する線で図形を表現したベクトルデータであって、図形について、その形状線の端点の属性（点の名称、位置）および形状線の属性（線の名称、位置、長さ、太さ、色、線種）と、図形の各部の寸法について、その寸法線の端点の属性、寸法線の属性、並びに寸法の値を示すテキストおよび配置位置とを規定したデータを含んでいる。
１つのＣＡＤファイルには、複数のビューが含まれている。ビューは、編集単位となる１つの図形を構成する。
【００３８】
次に、ＣＰＵ５０で実行される処理を説明する。
ＣＰＵ５０は、マイクロプロセッシングユニット等からなり、ＲＯＭ５２の所定領域に格納されている所定のプログラムを起動させ、そのプログラムに従って、図４および図５のフローチャートに示す図形表示処理および寸法名設定処理をそれぞれ時分割で実行する。
【００３９】
初めに、図形表示処理を説明する。
図４は、図形表示処理を示すフローチャートである。
図形表示処理は、図形表示部１２として実現される処理であって、ＣＰＵ５０において実行されると、図４に示すように、まず、ステップＳ１００に移行する。
ステップＳ１００では、記憶装置６２の所定領域に格納されているすべてのＣＡＤファイルを取得し、ステップＳ１０２に移行して、取得したＣＡＤファイルの一覧を表示装置６４に表示し、ステップＳ１０４に移行する。
【００４０】
ステップＳ１０４では、表示したＣＡＤファイルの一覧のなかからユーザにＣＡＤファイルを選択させ、その選択を入力装置６０から入力し、ステップＳ１０６に移行する。
ステップＳ１０６では、選択されたＣＡＤファイルに含まれるすべてのビューを取得し、ステップＳ１０８に移行して、取得したビューの一覧を表示装置６４に表示し、ステップＳ１１０に移行する。
【００４１】
ステップＳ１１０では、表示したビューの一覧のなかからユーザにビューを選択させ、その選択を入力装置６０から入力し、ステップＳ１１２に移行する。
ステップＳ１１２では、選択されたビューの図形諸元データに基づいて図形および各部の寸法の値を表示装置６４に表示し、一連の処理を終了して元の処理に復帰させる。
【００４２】
次に、寸法名設定処理を説明する。
図５は、寸法名設定処理を示すフローチャートである。
寸法名設定処理は、寸法名入力部１４および寸法名表示部１６として実現される処理であって、ＣＰＵ５０において実行されると、図５に示すように、まず、ステップＳ２００に移行する。
ステップＳ２００〜Ｓ２１０では、ステップＳ１００〜Ｓ１１０と同様の処理を実行し、ステップＳ２１２に移行して、選択されたビューにおいてその各部の寸法の名称を入力装置６０から入力し、ステップＳ２１４に移行する。
【００４３】
ステップＳ２１４では、選択されたビューの図形諸元データに基づいて図形および各部の寸法の値を表示装置６４に表示し、入力した寸法の名称を寸法の値に関連付けて表示装置６４に表示し、一連の処理を終了して元の処理に復帰させる。ステップＳ２１４では、必要に応じて、入力した寸法の名称および配置位置を含む図形諸元データを追加することによりＣＡＤファイルの更新を行ってもよい。
【００４４】
次に、本実施の形態の動作を説明する。
まず、図形を表示する場合を説明する。
作図支援装置１００では、図形の表示が要求されると、ステップＳ１００、Ｓ１０２を経て、記憶装置６２の所定領域に格納されているすべてのＣＡＤファイルが取得され、取得されたＣＡＤファイルの一覧が表示される。ここで、ユーザは、ＣＡＤファイルの一覧のなかから所望のものを選択する。
【００４５】
ＣＡＤファイルが選択されると、ステップＳ１０６、Ｓ１０８を経て、選択されたＣＡＤファイルに含まれるすべてのビューが取得され、取得されたビューの一覧が表示される。ここで、ユーザは、ビューの一覧のなかから所望のものを選択する。
図６は、寸法名設定前の表示画面を示す図である。
ビューが選択されると、ステップＳ１１２を経て、図６に示すように、選択されたビューの図形諸元データに基づいて図形および各部の寸法の値が表示される。図６では、各部の寸法の値６００ａ〜６１０ａが図形に関連付けて表示されている。
【００４６】
次に、寸法の名称を設定する場合を説明する。
図７は、図形諸元データの選択画面を示す図である。
作図支援装置１００では、寸法の名称の設定が要求されると、図７に示すような選択画面が表示される。
選択画面は、図７に示すように、ＣＡＤファイルの取得を要求するボタン６２０と、ＣＡＤファイルの一覧を表示するテキストボックス６２２と、ＣＡＤファイルを選択するラジオボタン６２４と、ビューの取得を要求するボタン６２６と、ビューの一覧を表示するテキストボックス６２８と、ビューを選択するラジオボタン６３０と、寸法の名称の設定を要求するボタン６３２とを配置して構成されている。
【００４７】
ユーザは、図７の選択画面においてボタン６２０を指示すると、ステップＳ２００、Ｓ２０２を経て、記憶装置６２の所定領域に格納されているすべてのＣＡＤファイルが取得され、取得されたＣＡＤファイルの一覧がテキストボックス６２２に表示される。ここで、ユーザは、ラジオボタン６２４によりＣＡＤファイルの一覧のなかから所望のものを選択し、ボタン６２６を指示する。
【００４８】
ボタン６２６が指示されると、ステップＳ２０６、Ｓ２０８を経て、選択されたＣＡＤファイルに含まれるすべてのビューが取得され、取得されたビューの一覧がテキストボックス６２８に表示される。ここで、ユーザは、ラジオボタン６３０によりビューの一覧のなかから所望のものを選択し、ボタン６３２を指示する。
ボタン６３２が指示されると、選択されたビューに設定されている寸法の各値ごとに寸法の名称を入力する入力画面が表示される。ここで、ユーザは、入力画面において寸法の名称を入力する。
【００４９】
図８は、寸法名設定後の表示画面を示す図である。
寸法の名称が入力されると、ステップＳ２１４を経て、図８に示すように、選択されたビューの図形諸元データに基づいて図形および各部の寸法の値が表示されるとともに、入力された寸法の名称が寸法の値に関連付けて表示される。図８では、各部の寸法の値６００ａ〜６１０ａにそれぞれ隣接して寸法の名称６００ｂ〜６１０ｂが表示されている。例えば、寸法の値６００ａには、寸法の名称６００ｂとして「ＢＥ」が、寸法の値６０２ａには、寸法の名称６０２ｂとして「ＣＲＡ−２」が設定される。
【００５０】
このようにして、本実施の形態では、図形諸元データに基づいて図形を表示するとともに図形に関連付けて寸法の値を表示し、寸法の名称を入力し、入力した寸法の名称を寸法の値に関連付けて表示する。
これにより、寸法の名称を入力するだけで、寸法の名称が寸法の値に関連付けて表示されるので、従来に比して、寸法の名称を容易に設定することができる。
【００５１】
上記第１の実施の形態において、軸受は、発明１、８または９の設計対象に対応し、入力装置６０は、発明８または９の入力手段に対応し、図形諸元データ記憶部１０および記憶装置６２は、発明１、８または９の記憶手段に対応し、表示装置６４は、発明８または９の出力手段に対応している。また、図形表示部１２およびステップＳ１１２は、発明１の図形出力手段に対応し、ステップＳ１１２は、発明８または９の図形出力ステップに対応し、寸法名入力部１４およびステップＳ２１２は、発明１の寸法属性入力手段に対応し、ステップＳ２１２は、発明８または９の寸法属性入力ステップに対応している。
【００５２】
また、上記第１の実施の形態において、寸法名表示部１６およびステップＳ２１４は、発明１の寸法属性出力手段に対応し、ステップＳ２１４は、発明８または９の寸法属性出力ステップに対応している。
【００５３】
〔第２の実施の形態〕
次に、本発明の第２の実施の形態を図面を参照しながら説明する。図９ないし図１２は、本発明に係る作図支援装置および作図支援プログラム、並びに作図支援方法の第２の実施の形態を示す図である。
【００５４】
本実施の形態は、上記第１の実施の形態に対して、寸法の名称に対して説明文を設定する点が異なる。なお、以下、上記第１の実施の形態と異なる部分についてのみ説明し、重複する部分については同一の符号を付して説明を省略する。
まず、本実施の形態に係る作図支援装置１００の機能概要を説明する。
図９は、作図支援装置１００の機能概要を示す機能ブロック図である。
【００５５】
作図支援装置１００は、図９に示すように、図形諸元データ記憶部１０、図形表示部１２、寸法名入力部１４および寸法名表示部１６を有して構成されている。
作図支援装置１００は、さらに、寸法名入力部１４で入力したすべての寸法の名称を取得する寸法名取得部１８と、寸法名取得部１８で取得した寸法の各名称の一覧を表示する寸法名一覧表示部２０と、寸法名一覧表示部２０で表示した各名称ごとに、その名称に係る寸法についての説明文を入力する説明文入力部２２と、説明文入力部２２で入力した説明文を寸法の名称に関連付けて表示する説明文表示部２４とを有して構成されている。
【００５６】
次に、ＣＰＵ５０で実行される処理を説明する。
ＣＰＵ５０は、さらに、ＲＯＭ５２の所定領域に格納されている所定のプログラムを起動させ、そのプログラムに従って、図１０のフローチャートに示す説明文設定処理を実行する。
図１０は、説明文設定処理を示すフローチャートである。
【００５７】
説明文設定処理は、寸法名取得部１８、寸法名一覧表示部２０、説明文入力部２２および説明文表示部２４として実現される処理であって、ＣＰＵ５０において実行されると、図１０に示すように、まず、ステップＳ３００に移行する。
ステップＳ３００〜Ｓ３１０では、ステップＳ１００〜Ｓ１１０と同様の処理を実行し、ステップＳ３１２に移行して、選択されたビューに設定されているすべての寸法の名称を取得し、ステップＳ３１４に移行して、取得した寸法の各名称の一覧を表示装置６４に表示し、ステップＳ３１６に移行する。
【００５８】
ステップＳ３１６では、表示した各名称ごとに、その名称に係る寸法についての説明文を入力装置６０から入力し、ステップＳ３１８に移行する。
ステップＳ３１８では、選択されたビューの図形諸元データに基づいて図形並びに各部の寸法の値および名称を表示装置６４に表示し、入力した説明文を寸法の名称に関連付けて表示装置６４に表示し、一連の処理を終了して元の処理に復帰させる。ステップＳ３１８では、必要に応じて、入力した説明文および配置位置を含む図形諸元データを追加することによりＣＡＤファイルの更新を行ってもよい。
【００５９】
次に、本実施の形態の動作を説明する。
図１１は、説明文の入力画面を示す図である。
作図支援装置１００では、説明文の設定が要求されると、図１１に示すような入力画面が表示される。
入力画面は、図１１に示すように、ＣＡＤファイルの取得を要求するボタン６４０と、選択されたＣＡＤファイルの名称を表示するテキストボックス６４２と、ビューの取得を要求するボタン６４４と、選択されたビューの名称を表示するテキストボックス６４６と、寸法の名称の一覧を表示する表示欄６４８と、表示欄６４８の各名称ごとに説明文を入力するテキストボックス６５０と、説明文の入力完了を要求するボタン６５２とを配置して構成されている。
【００６０】
ユーザは、図１１の入力画面においてボタン６４０を指示すると、ステップＳ３００、Ｓ３０２を経て、記憶装置６２の所定領域に格納されているすべてのＣＡＤファイルが取得され、取得されたＣＡＤファイルの一覧が表示される。ここで、ユーザは、ＣＡＤファイルの一覧のなかから所望のものを選択すると、選択されたＣＡＤファイルの名称がテキストボックス６４２に表示される。
【００６１】
次に、ユーザは、図１１の入力画面においてボタン６４４を指示すると、ステップＳ３０６、Ｓ３０８を経て、選択されたＣＡＤファイルに含まれるすべてのビューが取得され、取得されたビューの一覧が表示される。ここで、ユーザは、ビューの一覧のなかから所望のものを選択すると、選択されたビューの名称がテキストボックス６４６に表示される。
【００６２】
また、ビューが選択されると、ステップＳ３１２、Ｓ３１４を経て、選択されたビューに設定されているすべての寸法の名称が取得され、取得された寸法の名称の一覧が表示欄６４８に表示されるとともに表示欄６４８の各名称ごとにテキストボックス６５０が表示される。ここで、ユーザは、説明文が必要な寸法の名称に対して説明文をテキストボックス６５０に入力し、ボタン６５２を指示する。図１１では、寸法の名称「ＢＥ」に対して説明文「これはＢＥの説明文です。」を入力している。
【００６３】
図１２は、説明文設定後の表示画面を示す図である。
ボタン６５２が指示されると、ステップＳ３１８を経て、図１２に示すように、選択されたビューの図形諸元データに基づいて図形並びに各部の寸法の値および名称が表示され、入力された説明文が寸法の名称に関連付けて表示される。図１２では、寸法の値６００ａの右方に説明文６００ｃ「これはＢＥの説明文です。」が表示されている。
【００６４】
このようにして、本実施の形態では、寸法についての説明文を入力し、入力した説明文を寸法の名称に関連付けて表示する。
これにより、寸法についての説明文を入力するだけで、説明文が寸法の名称に関連付けて表示されるので、説明文を容易に設定することができる。
さらに、本実施の形態では、すべての寸法の名称を取得し、取得した寸法の各名称の一覧を表示し、表示した各名称ごとに、その名称に係る寸法についての説明文を入力する。
【００６５】
これにより、一覧として表示された各名称ごとに、その名称に係る寸法ついての説明文を入力することができるので、寸法の各値に対して寸法の名称さえ設定すれば、説明文をまとめて設定することができる。
また、寸法の名称と対応付けて説明文を入力することができるので、寸法の数が多くても、説明文をミス少なく設定することができる。
【００６６】
上記第２の実施の形態において、寸法名入力部１４およびステップＳ２１２は、発明３の寸法属性入力手段に対応し、寸法名取得部１８およびステップＳ３１２は、発明３の属性取得手段に対応し、寸法名一覧表示部２０およびステップＳ３１４は、発明３の属性一覧表示手段に対応している。また、説明文入力部２２およびステップＳ３１６は、発明２または３の説明情報入力手段に対応し、説明文表示部２４およびステップＳ３１８は、発明２の説明情報出力手段に対応している。
【００６７】
〔第３の実施の形態〕
次に、本発明の第３の実施の形態を図面を参照しながら説明する。図１３ないし図１６は、本発明に係る作図支援装置および作図支援プログラム、並びに作図支援方法の第３の実施の形態を示す図である。
【００６８】
本実施の形態は、上記第１の実施の形態に対して、寸法の属性を変更する点が異なる。なお、以下、上記第１および第２の実施の形態と異なる部分についてのみ説明し、重複する部分については同一の符号を付して説明を省略する。
まず、本実施の形態に係る作図支援装置１００の機能概要を説明する。
図１３は、作図支援装置１００の機能概要を示す機能ブロック図である。
【００６９】
作図支援装置１００は、図１３に示すように、図形諸元データ記憶部１０、図形表示部１２、寸法名入力部１４、寸法名表示部１６、寸法名取得部１８および寸法名一覧表示部２０を有して構成されている。
作図支援装置１００は、さらに、寸法名一覧表示部２０で表示した各名称ごとに、その名称に係る寸法の変更後の名称を入力する変更寸法名入力部２６と、現在の寸法の名称を、変更寸法名入力部２６で入力した変更後の名称に変更する寸法名変更部２８とを有して構成されている。
【００７０】
次に、ＣＰＵ５０で実行される処理を説明する。
ＣＰＵ５０は、さらに、ＲＯＭ５２の所定領域に格納されている所定のプログラムを起動させ、そのプログラムに従って、図１４のフローチャートに示す寸法名変更処理を実行する。
図１４は、寸法名変更処理を示すフローチャートである。
【００７１】
寸法名変更処理は、寸法名取得部１８、寸法名一覧表示部２０、変更寸法名入力部２６および寸法名変更部２８として実現される処理であって、ＣＰＵ５０において実行されると、図１４に示すように、まず、ステップＳ４００に移行する。
ステップＳ４００〜Ｓ４１４では、ステップＳ１００〜Ｓ１１０、Ｓ３１２、Ｓ３１４と同様の処理を実行し、ステップＳ４１６に移行する。
【００７２】
ステップＳ４１６では、表示した各名称ごとに、その名称に係る寸法の変更後の名称を入力装置６０から入力し、ステップＳ４１８に移行して、現在の寸法の名称を、入力した変更後の名称に変更し、ステップＳ４２０に移行する。
ステップＳ４２０では、選択されたビューの図形諸元データに基づいて図形並びに各部の寸法の値および変更後の名称を表示装置６４に表示し、一連の処理を終了して元の処理に復帰させる。ステップＳ４２０では、必要に応じて、変更した寸法の名称を含む図形諸元データを追加することによりＣＡＤファイルの更新を行ってもよい。
【００７３】
次に、本実施の形態の動作を説明する。
図１５は、変更後寸法名の入力画面を示す図である。
作図支援装置１００では、寸法の名称の変更が要求されると、図１５に示すような入力画面が表示される。
入力画面は、図１５に示すように、ＣＡＤファイルの取得を要求するボタン６６０と、選択されたＣＡＤファイルの名称を表示するテキストボックス６６２と、ビューの取得を要求するボタン６６４と、選択されたビューの名称を表示するテキストボックス６６６と、寸法の名称の一覧を表示する表示欄６６８と、表示欄６６８の各名称ごとに変更後の名称を入力するテキストボックス６７０と、変更後の名称の入力完了を要求するボタン６７２とを配置して構成されている。
【００７４】
ユーザは、図１５の入力画面においてボタン６６０を指示すると、ステップＳ４００、Ｓ４０２を経て、記憶装置６２の所定領域に格納されているすべてのＣＡＤファイルが取得され、取得されたＣＡＤファイルの一覧が表示される。ここで、ユーザは、ＣＡＤファイルの一覧のなかから所望のものを選択すると、選択されたＣＡＤファイルの名称がテキストボックス６６２に表示される。
【００７５】
次に、ユーザは、図１５の入力画面においてボタン６６４を指示すると、ステップＳ４０６、Ｓ４０８を経て、選択されたＣＡＤファイルに含まれるすべてのビューが取得され、取得されたビューの一覧が表示される。ここで、ユーザは、ビューの一覧のなかから所望のものを選択すると、選択されたビューの名称がテキストボックス６６６に表示される。
【００７６】
また、ビューが選択されると、ステップＳ４１２、Ｓ４１４を経て、選択されたビューに設定されているすべての寸法の名称が取得され、取得された寸法の名称の一覧が表示欄６６８に表示されるとともに表示欄６６８の各名称ごとにテキストボックス６７０が表示される。ここで、ユーザは、変更が必要な寸法の名称に対して変更後の名称をテキストボックス６７０に入力し、ボタン６７２を指示する。図１５では、寸法の名称「ＢＥ」に対して変更後の名称「ＢＥＤＤ」を入力している。
【００７７】
図１６は、寸法名変更後の表示画面を示す図である。
ボタン６７２が指示されると、ステップＳ４１８、Ｓ４２０を経て、現在の寸法の名称が変更後の名称に変更され、図１６に示すように、選択されたビューの図形諸元データに基づいて図形並びに各部の寸法の値および変更後の名称が表示される。図１６では、寸法の値６００ａに隣接して寸法の変更後の名称６００ｂ「ＢＥＤＤ」が表示されている。
【００７８】
このようにして、本実施の形態では、寸法の変更後の名称を入力し、現在の寸法の名称を、入力した変更後の名称に変更する。
これにより、寸法の変更後の名称を入力するだけで、変更後の名称が寸法の値に関連付けて表示されるので、寸法の名称を容易に変更することができる。
さらに、本実施の形態では、すべての寸法の名称を取得し、取得した寸法の各名称の一覧を表示し、表示した各名称ごとに、その名称に係る寸法の変更後の名称を入力する。
【００７９】
これにより、一覧として表示された各名称ごとに、その名称に係る寸法の変更後の名称を入力することができるので、寸法の名称をまとめて変更することができる。
また、寸法の名称と対応付けて変更後の名称を入力することができるので、寸法の数が多くても、寸法の名称をミス少なく変更することができる。
上記第３の実施の形態において、寸法名入力部１４およびステップＳ２１２は、発明５の寸法属性入力手段に対応し、寸法名取得部１８およびステップＳ３１２は、発明５の属性取得手段に対応し、寸法名一覧表示部２０およびステップＳ３１４は、発明５の属性一覧表示手段に対応している。また、変更寸法名入力部２６は、発明４または５の変更属性入力手段に対応し、寸法名変更部２８は、発明４の寸法属性変更手段に対応している。
【００８０】
〔第４の実施の形態〕
次に、本発明の第４の実施の形態を図面を参照しながら説明する。図１７ないし図２０は、本発明に係る作図支援装置および作図支援プログラム、並びに作図支援方法の第４の実施の形態を示す図である。
【００８１】
本実施の形態は、上記第１の実施の形態に対して、寸法の値および図形を変更する点が異なる。なお、以下、上記第１ないし第３の実施の形態と異なる部分についてのみ説明し、重複する部分については同一の符号を付して説明を省略する。
まず、本実施の形態に係る作図支援装置１００の機能概要を説明する。
図１７は、作図支援装置１００の機能概要を示す機能ブロック図である。
【００８２】
作図支援装置１００は、図１７に示すように、図形諸元データ記憶部１０、図形表示部１２、寸法名入力部１４、寸法名表示部１６、寸法名取得部１８および寸法名一覧表示部２０を有して構成されている。
作図支援装置１００は、さらに、寸法名一覧表示部２０で表示した各名称ごとに、その名称に係る寸法の変更後の値を入力する変更値入力部３０と、現在の寸法の値を、変更値入力部３０で入力した変更後の値に変更する寸法値変更部３２と、変更値入力部３０で入力した変更後の値に基づいて図形を変更する図形変更部３４とを有して構成されている。
【００８３】
次に、ＣＰＵ５０で実行される処理を説明する。
ＣＰＵ５０は、さらに、ＲＯＭ５２の所定領域に格納されている所定のプログラムを起動させ、そのプログラムに従って、図１８のフローチャートに示す寸法値変更処理を実行する。
図１８は、寸法値変更処理を示すフローチャートである。
【００８４】
寸法値変更処理は、寸法名取得部１８、寸法名一覧表示部２０、変更値入力部３０、寸法値変更部３２および図形変更部３４として実現される処理であって、ＣＰＵ５０において実行されると、図１８に示すように、まず、ステップＳ５００に移行する。
ステップＳ５００〜Ｓ５１４では、ステップＳ１００〜Ｓ１１０、Ｓ３１２、Ｓ３１４と同様の処理を実行し、ステップＳ５１６に移行する。
【００８５】
ステップＳ５１６では、表示した各名称ごとに、その名称に係る寸法の変更後の値を入力装置６０から入力し、ステップＳ５１８に移行して、現在の寸法の値を、入力した変更後の値に変更し、ステップＳ５２０に移行する。
ステップＳ５２０では、図形のうち変更に係る部分のサイズが、入力した変更後の値に対応するように、入力した変更後の値に基づいて図形を変更し、ステップＳ５２２に移行する。
【００８６】
ステップＳ５２２では、選択されたビューの図形諸元データに基づいて、変更後の図形、各部の寸法の変更後の値および各部の寸法の名称を表示装置６４に表示し、一連の処理を終了して元の処理に復帰させる。ステップＳ５２０では、必要に応じて、変更した寸法の値を含む図形諸元データを追加することによりＣＡＤファイルの更新を行ってもよい。
【００８７】
次に、本実施の形態の動作を説明する。
図１９は、変更後寸法値の入力画面を示す図である。
作図支援装置１００では、寸法の値の変更が要求されると、図１９に示すような入力画面が表示される。
入力画面は、図１９に示すように、ＣＡＤファイルの取得を要求するボタン６８０と、選択されたＣＡＤファイルの名称を表示するテキストボックス６８２と、ビューの取得を要求するボタン６８４と、選択されたビューの名称を表示するテキストボックス６８６と、寸法の名称の一覧を表示する表示欄６８８と、表示欄６８８の各名称ごとに変更後の値を入力するテキストボックス６９０と、変更後の値の入力完了を要求するボタン６９２とを配置して構成されている。
【００８８】
ユーザは、図１９の入力画面においてボタン６８０を指示すると、ステップＳ５００、Ｓ５０２を経て、記憶装置６２の所定領域に格納されているすべてのＣＡＤファイルが取得され、取得されたＣＡＤファイルの一覧が表示される。ここで、ユーザは、ＣＡＤファイルの一覧のなかから所望のものを選択すると、選択されたＣＡＤファイルの名称がテキストボックス６８２に表示される。
【００８９】
次に、ユーザは、図１９の入力画面においてボタン６８４を指示すると、ステップＳ５０６、Ｓ５０８を経て、選択されたＣＡＤファイルに含まれるすべてのビューが取得され、取得されたビューの一覧が表示される。ここで、ユーザは、ビューの一覧のなかから所望のものを選択すると、選択されたビューの名称がテキストボックス６８６に表示される。
【００９０】
また、ビューが選択されると、ステップＳ５１２、Ｓ５１４を経て、選択されたビューに設定されているすべての寸法の名称が取得され、取得された寸法の名称の一覧が表示欄６８８に表示されるとともに表示欄６８８の各名称ごとにテキストボックス６９０が表示される。ここで、ユーザは、値の変更が必要な寸法の名称に対して変更後の値をテキストボックス６９０に入力し、ボタン６９２を指示する。図１９では、現在の寸法の値が「３８０」となっている寸法の名称「ＢＥ」に対して変更後の値「４００」を入力している。
【００９１】
図２０は、寸法値変更後の表示画面を示す図である。
ボタン６９２が指示されると、ステップＳ５１８、Ｓ５２０を経て、現在の寸法の値が変更後の値に変更され、変更後の値に基づいて図形が変更される。そして、ステップＳ５２２を経て、図２０に示すように、選択されたビューの図形諸元データに基づいて、変更後の図形、各部の寸法の変更後の値および各部の寸法の名称が表示される。図２０では、寸法の値６００ａが「３８０」から「４００」に変更され、それに合わせて図形も変更される。
【００９２】
このようにして、本実施の形態では、寸法の変更後の値を入力し、現在の寸法の値を、入力した変更後の値に変更し、入力した変更後の値に基づいて図形を変更する。
これにより、寸法の変更後の値を入力するだけで、変更後の値が図形に関連付けて表示されるとともに図形もそれに合わせて変更されるので、寸法の値および図形を容易に変更することができる。
【００９３】
さらに、本実施の形態では、すべての寸法の名称を取得し、取得した寸法の各名称の一覧を表示し、表示した各名称ごとに、その名称に係る寸法の変更後の値を入力する。
これにより、一覧として表示された各名称ごとに、その名称に係る寸法の変更後の値を入力することができるので、寸法の各値に対して寸法の名称さえ設定すれば、寸法の値をまとめて変更することができる。
【００９４】
また、寸法の名称と対応付けて寸法の値を入力することができるので、寸法の数が多くても、寸法の値をミス少なく変更することができる。
上記第４の実施の形態において、寸法名入力部１４およびステップＳ２１２は、発明７の寸法属性入力手段に対応し、寸法名取得部１８およびステップＳ３１２は、発明７の属性取得手段に対応し、寸法名一覧表示部２０およびステップＳ３１４は、発明７の属性一覧表示手段に対応している。また、変更値入力部３０およびステップＳ５１６は、発明６または７の変更値入力手段に対応し、寸法値変更部３２およびステップＳ５１８は、発明６の寸法値変更手段に対応し、図形変更部３４およびステップＳ５２０は、発明６の図形変更手段に対応している。
【００９５】
〔他の実施の形態〕
なお、上記第１ないし第４の実施の形態においては、図形、寸法の値および名称を表示装置６４に表示するように構成したが、これに限らず、これらを他の端末に情報として送信し、またはこれらを印刷装置で印刷するように構成することもできる。
【００９６】
また、上記第１ないし第４の実施の形態においては、寸法の名称を表示するように構成したが、これに限らず、寸法の他の属性を表示するように構成することもできる。
また、上記第１ないし第４の実施の形態においては、軸受の図形に寸法を表示するように構成したが、これに加えて、例えば、基本定格荷重、許容回転数、耐用時間その他任意の情報を表示するように構成することもできる。
【００９７】
また、上記第１ないし第４の実施の形態において、図４、図５、図１０、図１４および図１８のフローチャートに示す処理を実行するにあたってはいずれも、ＲＯＭ５２にあらかじめ格納されている制御プログラムを実行する場合について説明したが、これに限らず、これらの手順を示したプログラムが記憶された記憶媒体から、そのプログラムをＲＡＭ５４に読み込んで実行するようにしてもよい。
【００９８】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００９９】
また、上記第１ないし第４の実施の形態においては、本発明に係る作図支援装置および作図支援プログラム、並びに作図支援方法を、軸受の設計図面を作成する場合ついて適用したが、これに限らず、本発明の主旨を逸脱しない範囲で他の設計対象の図形を作成する場合にも適用可能である。
【図面の簡単な説明】
【０１００】
【図１】作図支援装置１００の機能概要を示す機能ブロック図である。
【図２】作図支援装置１００のハードウェア構成を示す図である。
【図３】図形諸元データのデータ構造を示す図である。
【図４】図形表示処理を示すフローチャートである。
【図５】寸法名設定処理を示すフローチャートである。
【図６】寸法名設定前の表示画面を示す図である。
【図７】図形諸元データの選択画面を示す図である。
【図８】寸法名設定後の表示画面を示す図である。
【図９】作図支援装置１００の機能概要を示す機能ブロック図である。
【図１０】説明文設定処理を示すフローチャートである。
【図１１】説明文の入力画面を示す図である。
【図１２】説明文設定後の表示画面を示す図である。
【図１３】作図支援装置１００の機能概要を示す機能ブロック図である。
【図１４】寸法名変更処理を示すフローチャートである。
【図１５】変更後寸法名の入力画面を示す図である。
【図１６】寸法名変更後の表示画面を示す図である。
【図１７】作図支援装置１００の機能概要を示す機能ブロック図である。
【図１８】寸法値変更処理を示すフローチャートである。
【図１９】変更後寸法値の入力画面を示す図である。
【図２０】寸法値変更後の表示画面を示す図である。
【符号の説明】
【０１０１】
１００                    作図支援装置
１０                      図形諸元データ記憶部
１２                      図形表示部
１４                      寸法名入力部
１６                      寸法名表示部
１８                      寸法名取得部
２０                      寸法名一覧表示部
２２                      説明文入力部
２４                      説明文表示部
２６                      変更寸法名入力部
２８                      寸法名変更部
３０                      変更値入力部
３２                      寸法値変更部
３４                      図形変更部
５０                      ＣＰＵ
５２                      ＲＯＭ
５４                      ＲＡＭ
５８                      Ｉ／Ｆ
６０                      入力装置
６２                      記憶装置
６４                      表示装置
６００ａ〜６１０ａ        寸法の値
６００ｂ〜６１０ｂ        寸法の名称
６００ｃ                  説明文
６２０、６２６、６３２、６４０、６４４、６５２、６６０、６６４、６７２、６８０、６８４、６９２  ボタン
６２２、６２８、６４２、６４６、６５０、６６２、６６６、６７０、６８２、６８６、６９０  テキストボックス
６２４、６３０            ラジオボタン
６４８、６６８、６８８    表示欄
【図１】
2009175936.tif 000003
【図２】
2009175936.tif 000004
【図３】
2009175936.tif 000005
【図４】
2009175936.tif 000006
【図５】
2009175936.tif 000007
【図６】
2009175936.tif 000008
【図７】
2009175936.tif 000009
【図８】
2009175936.tif 000010
【図９】
2009175936.tif 000011
【図１０】
2009175936.tif 000012
【図１１】
2009175936.tif 000013
【図１２】
2009175936.tif 000014
【図１３】
2009175936.tif 000015
【図１４】
2009175936.tif 000016
【図１５】
2009175936.tif 000017
【図１６】
2009175936.tif 000018
【図１７】
2009175936.tif 000019
【図１８】
2009175936.tif 000020
【図１９】
2009175936.tif 000021
【図２０】
2009175936.tif 000022